(57)【要約】【課題】小型の蓄圧器を用いても十分な便器洗浄能力を有した便器洗浄装置を提供する。【解決手段】まず弁２２が所定時間（Ｔ１）開弁してリム３へ洗浄水が供給されて鉢面に付着した汚れがトラップ部へ洗い落とされる。この弁２２が開弁してリム３へ給水している間、蓄圧タンク４０内の水がリム給水に付加される。所定時間（Ｔ１）が経過すると、弁２２が閉弁し、所定の待機時間（Ｔ２）の間、弁２２，２３のいずれもが閉弁状態とされ、この間に蓄圧タンク４０内に蓄圧水が貯留される。この待機時間（Ｔ２）が経過すると、ジェット給水弁２３が所定時間（Ｔ３）開弁し、ジェットノズル５から水が噴出してトラップ部にサイホンが誘起され、汚水が排水管へ排出される。このジェットノズル５からの噴出水に対しても蓄圧タンク４０内の蓄圧水が付加される。その後、ジェット給水弁２３が閉弁され、ジェットノズル５への給水が停止される。電動弁ユニット２０は、その後、所定時間（Ｔ４）だけリム給水弁２２を開弁させてリム３へ給水し、便鉢底部に所要水量のトラップ水を貯留させる。【選択図】図１
2005146602.tif 000002
【特許請求の範囲】
【請求項１】
便器に洗浄水を供給する元流路、該元流路から分岐したリム用流路及びジェット用流路と、
該元流路に常時連通している蓄圧タンクと、
該リム用流路に設けられたリム給水弁と、
該ジェット用流路に設けられたジェット給水弁と
を備えてなる便器洗浄装置であって、
便器洗浄に際し、まずリム給水弁を所定時間（Ｔ１）開弁させ、該リム給水弁の閉弁後、所定の待機時間（Ｔ２）経過後、該ジェット給水弁を所定時間（Ｔ３）開弁させる弁制御手段を備えたことを特徴とする便器洗浄装置。
【請求項２】
請求項１において、該弁制御手段は、該リム給水弁及びジェット給水弁を駆動する電気駆動装置と、該リム給水弁及びジェット給水弁を手動操作し得る操作片とを有することを特徴とする便器洗浄装置。
【発明の詳細な説明】
【技術分野】
【０００１】
本発明は、洋風便器に洗浄水を供給する便器洗浄装置に係り、特に該洋風便器がサイホンジェット式洋風便器である場合に採用される便器洗浄装置に関する。さらに詳しくは、本発明は、ロータンクやハイタンクなどのタンクを設置せず、水道水の水圧によって洗浄水を洋風便器に供給する便器洗浄装置の改良に関する。
【背景技術】
【０００２】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
ところで、水道配管内に水が流れると流動抵抗が発生するため、一般に給水時の水道水圧は静水時の水道水圧より低くなる。そして、この流動抵抗は流量が多いほど大きくなることから、水道水圧によって便器に給水する場合、十分な水勢によって洗浄水を便器に供給することが困難となる。この対策として、水道配管の途中に蓄圧器を設けることが特開平７−３００８９１号に記載されている。
【０００５】
また、特開平１１−１４８１６２号公報の図２等には、元流路から分岐したジェット用流路に蓄圧タンクを設置し、ジェット孔に給水するときに蓄圧タンクの水をジェット孔へ向って放出する便器洗浄装置が記載されている。
【特許文献１】特開平７−３００８９１号公報
【特許文献２】特開平１１−１４８１６２号公報
【発明の開示】
【発明が解決しようとする課題】
【０００６】
特開平７−３００８９１号公報の洋風便器設備にあっては、洋風便器はブローアウト式洋風便器であり、洋風便器に供給される洗浄水の全量を蓄圧器によって蓄圧する必要があり、蓄圧器が大容積のものになる。
【０００７】
特開平１１−１４８１６２号公報の便器洗浄装置にあっても、ジェット孔に供給する水の全量を蓄圧タンク放出水としているため、蓄圧タンクの容積が大きい。また、この便器洗浄装置にあっては、リムへは蓄圧水が供給されないので、リム洗浄が不十分になるおそれがある。
【０００８】
本発明は、小型の蓄圧器を用いても十分な便器洗浄能力を有した便器洗浄装置を提供することを目的とする。
【課題を解決するための手段】
【０００９】
本発明の便器洗浄装置は、便器に洗浄水を供給する元流路、該元流路から分岐したリム用流路及びジェット用流路と、該元流路に常時連通している蓄圧タンクと、該リム用流路に設けられたリム給水弁と、該ジェット用流路に設けられたジェット給水弁とを備えてなる便器洗浄装置であって、便器洗浄に際し、まずリム給水弁を所定時間（Ｔ１）開弁させ、該リム給水弁の閉弁後、所定の待機時間（Ｔ２）経過後、該ジェット給水弁を所定時間（Ｔ３）開弁させる弁制御手段を備えたことを特徴とするものである。
【発明の効果】
【００１０】
かかる本発明の便器洗浄装置は、静水圧時（リム給水弁及びジェット給水弁のいずれもが閉止され、元流路内の水圧が高い時）には蓄圧タンクに蓄圧水が溜まる。リム給水弁又はジェット給水弁が開弁されて元流路が通水状態となり、元流路内の水圧が低くなったときに、蓄圧タンク内の蓄圧水が元流路に付加され、元流路の水圧が高くなる。このように、本発明は、流路の水圧を高めるために蓄圧タンクの蓄圧水を付加するものであるため、洗浄水の全量を蓄圧する従来例に比べ、蓄圧タンクの容積が小さくて足りる。
【００１１】
本発明の便器洗浄装置にあっては、前記所定時間（Ｔ１）の間にリムへも蓄圧水が供給されるので、リム洗浄も十分に行うことができる。
【００１２】
このリム洗浄の終了後、所定の時間（Ｔ２）待機し、その後、ジェット給水弁が開弁される。この待機時間（Ｔ２）の間に蓄圧タンクに水が蓄えられる。そして、ジェット給水弁が開弁すると、ジェット水に対し蓄圧水が付加される。
【００１３】
この待機時間（Ｔ２）は１〜４秒特に２〜３秒程度が好適である。
【００１４】
また、蓄圧タンクの最大貯水量は１５０〜６００ｃｃ特に２００〜５００ｃｃとりわけ２５０〜４５０ｃｃ程度が好適である。
【００１５】
本発明にあっては、ジェット給水弁を所定時間（Ｔ３）が経過して閉弁させた後、リム給水弁を所定時間（Ｔ４）開弁させるのが好ましい。この所定時間（Ｔ４）の間に便器の鉢内にトラップ水が貯留される。
【００１６】
本発明にあっては、弁制御手段は、該リム給水弁及びジェット給水弁を駆動するモータ、ソレノイド等よりなる電気駆動装置と、該リム給水弁及びジェット給水弁を手動操作し得る操作片とを有する構成としてもよい。このように構成した場合には、停電時においても手動操作により便器洗浄を行うことができ、しかも、この便器洗浄に際して非停電時と同様に蓄圧水が供給されて便器が洗浄される。
【発明を実施するための最良の形態】
【００１７】
以下、図面を参照して実施の形態について説明する。図１（ａ）は実施の形態に係る便器洗浄装置を備えた洋風便器設備の斜視図、図１（ｂ）はその電動弁ユニットの構成図、図２（ａ）は洗浄水供給流路の系統図、図２（ｂ）は洗浄水供給流路の給水タイミングチャートである。
【００１８】
陶器製の洋風便器１は、前部に鉢部２を備え、この鉢部２の上部内周にリム３が設けられている。このリム３へはリムノズル４を介して洗浄水が供給される。また、鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１９】
トイレルームの壁面には給水管の末端が突出しており、この給水管の末端に止水栓１０が取り付けられている。この止水栓１０は元流路としての給水管１１及び逆止弁１１ａを介して洋風便器１の後部に設置されたストレーナ１２に接続されている。このストレーナ１２を通過した水は電動弁ユニット２０へ供給可能とされる。
【００２０】
電動弁ユニット２０は、内部に配置されたリム給水弁２２及びジェット給水弁２３をモータ２１で駆動し、リム用流路としてのリムノズル用給水配管２４又はジェット用流路としてのジェットノズル用給水配管２５へ水を供給する。なお、停電時にも便器を使用できるようにするために、モータ２１の回転軸に手動式の洗浄ハンドル２８が取り付けられている。この電動弁ユニット２０は、カバーケーシング（図示略）内に配置されている。
【００２１】
この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。また、図示はしないが、リムノズル用給水配管２４及びジェットノズル用給水配管２５にそれぞれ逆止弁が設けられている。
【００２２】
上記の元流路としての給水管１１に対し、配管３０を介して蓄圧タンク４０の出入口４１が接続されている。蓄圧タンク４０は、ダイヤフラム４３によって蓄圧室４２が区画されている。このダイヤフラム４３の上側の大気圧室４４は開口４６を介して大気に常時連通している。この大気圧室４４内には、ダイヤフラム４３を蓄圧方向に押圧するスプリング４５が設置されている。
【００２３】
この蓄圧タンク４０の蓄圧室４２内は、配管３０を介して給水管１１内に常時連通している。従って、電動弁ユニット２０の弁２２，２３がいずれも閉弁状態にあるときには、給水管１１内の水圧は水道配管の給水静圧（例えば、１．０〜２．０ｋｇｆ／ｃｍ２）となっており、この水圧により、給水管１１内の水が蓄圧タンク４０内に流入し、最終的には給水管１１内の静水圧と等しい圧力の水が蓄圧タンク４０内に貯留される。
【００２４】
用便（大便）後に洋風便器１に洗浄水を供給するときには、図２（ｂ）の通り、まず弁２２が所定時間（Ｔ１）開弁してリム３へ洗浄水が供給されて鉢面に付着した汚れがトラップ部へ洗い落とされる。この弁２２が開弁してリム３へ給水している間、蓄圧タンク４０内の水がリム給水に付加される。このため、リム３への給水圧が高くなり、リム３の末端にまで十分に水が行き渡り、鉢面全体をムラなく水洗することができる。
【００２５】
この所定時間（Ｔ１）が経過すると、弁２２が閉弁し、所定の待機時間（Ｔ２）の間、弁２２，２３のいずれもが閉弁状態とされ、この間に蓄圧タンク４０内に蓄圧水が貯留される。
【００２６】
この待機時間（Ｔ２）が経過すると、ジェット給水弁２３が所定時間（Ｔ３）開弁し、ジェットノズル５から水が噴出してトラップ部にサイホンが誘起され、汚水が排水管へ排出される。
【００２７】
このジェットノズル５からの噴出水に対しても蓄圧タンク４０内の蓄圧水が付加されるので、ジェットノズル５からの噴出水量及び水圧が増大し、トラップ部に強力なサイホン排出水流が形成される。これにより、鉢内の水面上あるいは水面付近に浮遊していたペーパーなど流れにくい固形物も速やかに排出される。
【００２８】
その後、ジェット給水弁２３が閉弁され、ジェットノズル５への給水が停止される。電動弁ユニット２０は、その後、所定時間（Ｔ４）だけリム給水弁２２を開弁させてリム３へ給水し、便鉢底部に所要水量のトラップ水を貯留させる。その後、該リム給水弁２２が閉弁し、弁２２，２３のいずれもが閉となることにより、蓄圧タンク４０に蓄圧水が貯留される。
【００２９】
このように、この実施の形態によると、蓄圧タンク４０の蓄圧水がリム給水に付加されることにより、鉢面洗浄をムラなく行うことができる。また、蓄圧タンク４０の蓄圧水がジェットノズル５への給水に付加されることにより、強力なサイホン排出流を形成することができ、流れにくいペーパー等も確実に排出することが可能となる。しかも、この蓄圧水は、給水管１１を流れている水に付加されるものであり、少量付加されるだけで給水管１１内の水圧が十分に高くなるので、添加すべき蓄圧水量は少量で足りる。このため、蓄圧タンク４０は容積が小型のもので足りる。
【００３０】
また、電動弁ユニット２０に手動式の洗浄ハンドル２８が設けられており、停電時にも上記と同様の洗浄動作を行わせることができる。
【００３１】
上記実施の形態では、逆止弁１１ａよりも上流側から配管３０が分岐しているが、逆止弁１１ａの下流側から分岐させてもよい。
【００３２】
蓄圧タンク４０は洋風便器内（例えば台座部の内側）に配置されてもよく、洋風便器外に配置されてもよい。
【図面の簡単な説明】
【００３３】
【図１】（ａ）図は実施の形態に係る便器洗浄装置を備えた洋風便器設備の斜視図、（ｂ）はその電動弁ユニットの構成図である。
【図２】（ａ）図は洗浄水供給流路の系統図、（ｂ）図は洗浄水供給流路の給水タイミングチャートである。
【符号の説明】
【００３４】
１  洋風便器
２  鉢部
３  リム
４  リムノズル
５  ジェットノズル
１０  止水栓
１１  給水管（元流路）
１２  ストレーナ
２０  電動弁ユニット
２４  リムノズル用給水配管（リム用流路）
２５  ジェットノズル用給水配管（ジェット用流路）
４０  蓄圧タンク
【図１】
2005146602.tif 000003
【図２】
2005146602.tif 000004